(57)【要約】【課題】  ユーザの要望に応じてダイナミックにネットワーク上の資源を利用することでネットワーク上の資源を十分に活用して所望の処理を行う記録再生装置を提供する。【解決手段】チューナ部１２と、チューナ部の映像情報を記録領域に記録する記録部１８と、ネットワーク上の機器と通信を行う通信部１１と、指示された処理のために必要な処理機能をもった資源１２，２１等が装置内で使用中又は使用予定である場合に、通信部を介してネットワーク上の機器５１−５５へ処理のための資源の代用が可能か否かを問合せ、機器からの返答に基づいて資源の代用が可能と判断すると、機器の資源から必要な情報の提供を受け、これにより指示された処理を行う資源管理部４２ともつ記録再生装置。【選択図】      図１
2006014050.tif 000002
【特許請求の範囲】
【請求項１】
放送信号を選局し復調して映像情報を出力するチューナ部と、
前記チューナ部の前記映像情報を記録領域に記録する記録部と、
ネットワーク上の機器と通信を行う通信部と、
指示された処理のために必要な処理機能をもった資源が装置内で使用中又は使用予定である場合に、前記通信部を介して前記ネットワーク上の機器へ処理のための資源の代用が可能か否かを問合せ、前記機器からの返答に基づいて資源の代用が可能であると判断すると、前記通信部を介して前記機器の前記資源から必要な情報の提供を受け、これを用いて指示された処理を行う資源管理部と、
を具備することを特徴とする記録再生装置。
【請求項２】
前記資源管理部は、前記通信部を介して、ネットワーク上の他の機器から、所有している資源の代用が可能か否かの問合せがあるとこれに返答し、更に、資源の代用を要求されると、要求に応じて資源から生成した所定情報を前記通信部を介して他の機器へと提供することを特徴とする請求項１記載の記録再生装置。
【請求項３】
前記資源管理部は、指示された処理のために必要な処理機能をもった資源が、予約録画で使用予定があるチューナである場合に、ネットワーク上の装置がもつチューナから復調情報の提供を求めることを特徴とする請求項１記載の記録再生装置。
【請求項４】
前記資源管理部は、指示された処理のために必要な処理機能をもった資源が、現在、録画処理で使用しているチューナである場合に、ネットワーク上の装置がもつチューナから復調情報の提供を求めることを特徴とする請求項１記載の記録再生装置。
【請求項５】
前記資源管理部は、指示された処理のために前記ネットワーク上の機器の前記資源から必要な情報の提供を受けている時、前記ネットワーク上の前記資源が使用不能となったことを認識すると、再び、前記通信部を介して前記ネットワーク上の他の機器へ資源の代用が可能か否かを問合せ、可能であるとき、新たな前記機器の資源から必要な情報の提供を受けることを特徴とする請求項１記載の記録再生装置。
【請求項６】
前記資源管理部は、指示された処理のために必要な処理機能をもった資源が装置内に初めから存在しない場合に、前記通信部を介して前記ネットワーク上の機器に処理のための資源が提供可能に存在するかを問合せ、前記機器からの返答に基づいて資源の代用が可能であると判断すると、前記通信部を介して前記機器の前記資源から必要な情報の提供を受け、これに応じて指示された処理を行うことを特徴とする請求項１記載の記録再生装置。
【請求項７】
前記資源管理部が検出する、指示された処理のために必要な処理機能をもった資源とは、第１のデータ形式を第２のデータ形式に変換する変換機能であることを特徴とする請求項１記載の記録再生装置。
【請求項８】
前記資源管理部は、前記通信部を介して前記ネットワーク上の機器に処理のための資源が提供可能に存在するかを問合せて、複数の機器から使用可能であると返答された場合、予めユーザにより与えられた優先順位に応じて一つの機器を選択し、選択した機器の前記資源から必要な情報の提供を受ける処理を行うことを特徴とする請求項１記載の記録再生装置。
【請求項９】
前記資源管理部は、前記通信部を介して前記ネットワーク上の機器に処理のための資源が提供可能に存在するかを問合せて、複数の機器から使用可能であると返答された場合、その資源に関し録画予約が設定されていないか録画予約が最も先の機器を選択し、選択した機器の前記資源から必要な情報の提供を受ける処理を行うことを特徴とする請求項１記載の記録再生装置。
【請求項１０】
前記資源管理部は、前記通信部を介して前記ネットワーク上の機器に処理のための資源が提供可能に存在するかを問合せて、複数の機器から使用可能であると返答された場合、その機器との通信が有線ネットワークであるものを無線ネットワークのものよりも優先して選択することを特徴とする請求項１記載の記録再生装置。
【請求項１１】
放送信号を選局し復調して映像情報を出力するチューナ部と、前記チューナ部の前記映像情報を記録領域に記録する記録部と、ネットワーク上の機器と通信を行う通信部とをもつ記録再生装置を用いて、
指示された処理のために必要な処理機能をもった資源が装置内で使用中又は使用予定である場合に、前記通信部を介して前記ネットワーク上の機器へ処理のための資源の代用が可能か否かを問合せ、前記機器からの返答に基づいて資源の代用が可能であると判断すると、前記通信部を介して前記機器の前記資源から必要な情報の提供を受け、これを用いて指示された処理を行うべく制御することを特徴とする情報処理方法。
【請求項１２】
ネットワーク上の他の機器から前記通信部を介して、所有している資源の代用が可能か否かの問合せがあるとこれに返答し、更に、資源の代用を要求されると、要求に応じて資源から生成した所定情報を前記通信部を介して他の機器へと提供することを特徴とする請求項１１記載の情報処理方法。
【請求項１３】
指示された処理のために必要な処理機能をもった資源が、予約録画で使用予定があるチューナである場合に、ネットワーク上の装置がもつチューナから復調情報の提供を求めることを特徴とする請求項１１記載の情報処理方法。
【請求項１４】
指示された処理のために必要な処理機能をもった資源が、現在、録画処理で使用しているチューナである場合に、ネットワーク上の装置がもつチューナから復調情報の提供を求めることを特徴とする請求項１１記載の情報処理方法。
【請求項１５】
指示された処理のために前記ネットワーク上の機器の前記資源から必要な情報の提供を受けている時、前記ネットワーク上の前記資源が使用不能となったことを認識すると、再び、前記通信部を介して前記ネットワーク上の他の機器へ資源の代用が可能か否かを問合せ、可能であるとき、新たな前記機器の資源から必要な情報の提供を受けることを特徴とする請求項１１記載の情報処理方法。
【請求項１６】
指示された処理のために必要な処理機能をもった資源が装置内に初めから存在しない場合に、前記通信部を介して前記ネットワーク上の機器に処理のための資源が提供可能に存在するかを問合せ、前記機器からの返答に基づいて資源の代用が可能であると判断すると、前記通信部を介して前記機器の前記資源から必要な情報の提供を受け、これに応じて指示された処理を行うことを特徴とする請求項１１記載の情報処理方法。
【請求項１７】
指示された処理のために必要な処理機能をもった資源とは、第１のデータ形式を第２のデータ形式に変換する変換機能であることを特徴とする請求項１１記載の情報処理方法。
【請求項１８】
前記通信部を介して前記ネットワーク上の機器に処理のための資源が提供可能に存在するかを問合せて、複数の機器から使用可能であると返答された場合、予めユーザにより与えられた優先順位に応じて一つの機器を選択し、選択した機器の前記資源から必要な情報の提供を受ける処理を行うことを特徴とする請求項１１記載の情報処理方法。
【請求項１９】
前記通信部を介して前記ネットワーク上の機器に処理のための資源が提供可能に存在するかを問合せて、複数の機器から使用可能であると返答された場合、その資源に関し録画予約が設定されていないか録画予約が最も先の機器を選択し、選択した機器の前記資源から必要な情報の提供を受ける処理を行うことを特徴とする請求項１１記載の情報処理方法。
【請求項２０】
前記通信部を介して前記ネットワーク上の機器に処理のための資源が提供可能に存在するかを問合せて、複数の機器から使用可能であると返答された場合、その機器との通信が有線ネットワークであるものを無線ネットワークのものよりも優先して選択することを特徴とする請求項１１記載の情報処理方法。
【発明の詳細な説明】
【技術分野】
【０００１】
この発明は、ネットワーク機能を有するハードディスクレコーダ等の記録再生装置に関し、特に、ネットワーク機能を用いてネットワーク上の他の機器の資源を活用する記録再生装置及び情報処理方法に関する。
【背景技術】
【０００２】
最近、デジタル機器の普及と共にハードディスクレコーダ等の記録再生装置が一般化しつつあり、以前のＶＴＲ（Video Tape Recorder）による記録再生処理の場合よりも記録情報へのアクセスや予約録画が容易に行えるようになってきている。このような記録再生装置においては、更に、ネットワーク機能を有しており、ネットワークを用いて他の機器と連携して予約録画を実現する技術が知られている。
【０００３】
特許文献１においては、記録再生装置において、予約録画を行う場合、自分の記録再生装置で予約録画ができないと判断した場合、予約情報をネットワーク上の機器に転送して、適宜、予約録画を他のネットワーク上の機器に分散する技術が開示されている。
【特許文献１】特開平８−５６３５２号公報。
【発明の開示】
【発明が解決しようとする課題】
【０００４】
上記した従来技術においては、予約録画について、自分の記録再生装置で不可能な予約録画をネットワーク上の機器に代用させることが可能であるが、しかし、例えば、現在、自分の記録再生装置で録画中に、急に、現在放送されている他の放送を見たいと思っても、チューナが使用中なので見ることができない。又、録画予約を他の機器に分散させておいても、その後、チューナが使用中となったり機能しなくなった場合等、他のチューナに代用させる等のダイナミックな（臨機応変な）対応が取れないという問題がある。
【０００５】
本発明は、ユーザの要望に応じてダイナミックにネットワーク上の資源を利用することでネットワーク上の資源を十分に活用して所望の処理を行うことができる記録再生装置及び情報処理方法を提供することを目的とする。
【課題を解決するための手段】
【０００６】
本発明の一実施形態に係る記録再生装置は、放送信号を選局し復調して映像情報を出力するチューナ部と、前記チューナ部の前記映像情報を記録領域に記録する記録部と、ネットワーク上の機器と通信を行う通信部と、指示された処理のために必要な処理機能をもった資源が装置内で使用中又は使用予定である場合に、前記通信部を介して前記ネットワーク上の機器へ処理のための資源の代用が可能か否かを問合せ、前記機器からの返答に基づいて資源の代用が可能であると判断すると、前記通信部を介して前記機器の前記資源から必要な情報の提供を受け、これを用いて指示された処理を行う資源管理部とを具備することを特徴とする記録再生装置である。
【発明の効果】
【０００７】
上記の記録再生装置においては、予約情報に限らず、ユーザの処理要求に応じて必要となる資源を、自分の記録再生装置の中から探してなければ、ネットワーク上の機器から現在の資源の使用状況をダイナミックに問うて、ネットワーク上から最適の資源を選択し使用する記録再生装置である。これにより、自分の記録再生装置が録画中によりチューナが使用中であるとき、所望の放送局の放送の視聴をユーザに要望された場合でも、録画を中断することなく、ネットワーク上の他のハードディスクレコーダのチューナを代用し、このチューナからの放送信号をネットワークを介して確保し、これを適宜視聴することが可能となる。
【０００８】
又、その後、代用していたネットワーク上のレコーダのチューナが、例えば、予約録画が開始したとか故障等の理由により使用不可能となれば、先ほどの問合せ工程と選択工程と通信工程とを他のネットワーク上の機器に対して働きかけ、最適の他のネットワーク上のチューナ（資源）に資源代用を置き換えるものである。これにより、例えば、放送の視聴を中断することなく、ユーザにとっては無意識のうちに置き換え作業が完了し、放送の視聴を継続することが可能となる。
【発明を実施するための最良の形態】
【０００９】
以下、この発明の実施の形態について図面を参照して詳細に説明する。  
本発明の一実施形態である記録再生装置においては、ユーザが要望した処理に必要な資源（例えばチューナ等）が現在使用中で使用不能か、故障中か、初めからその機能がない場合でも、ネットワーク上の他の記録再生装置の中の資源（チューナ等）を利用可能かを問合せ利用可能であればこれを代用して、ユーザの望む処理（例えば放送視聴）を実現するものである。更に、ネットワーク上の資源を活用して処理中に、予約録画が始まった等の理由により資源が使用不能になっても、同様の検索・代用のプロセスを経て、他のネットワーク上の資源へと再び代用させることができるので、ユーザは特別な操作を要求されることなく視聴を継続することができる。
【００１０】
本発明の一実施形態に係る記録再生装置として、図１に示すような複合型記録再生装置である記録再生装置１０を例に挙げて、以下に詳細に説明する。
【００１１】
＜本発明の一実施形態に係る記録再生装置＞
初めに、本発明の一実施形態に係る記録再生装置の構成を図面を用いて説明する。図１は、本発明の一実施形態に係る記録再生装置の構成の一例を示すブロック図、図２は、本発明の一実施形態に係る記録再生装置がネットワークを介して周辺装置に接続されている状態を示す説明図である。
【００１２】
（構成）
この実施形態では、記録再生装置１０は、記録媒体としてＤＶＤ−ＲＡＭとハードディスクの双方を取り扱うことができる装置として示しているが、ハードディスク又はＤＶＤ−ＲＡＭは、例えば、半導体メモリによる記録媒体などに置換されてもよい。図１の各ブロックを大きく分けると、左側には記録部の主なブロックを示し，右側には再生部の主なブロックを示している。
【００１３】
図１の記録再生装置１０は、２種類のディスクドライブ部を有する。まず、ビデオファイルを構築できる情報記録媒体である第１のメディアとしての光ディスクＤを回転駆動し、情報の読み書きを実行するディスクドライブ部１９を有する。又、第２のメディアとしてのハードディスクを駆動するハードディスクドライブ部１８を有する。制御部３０は、全体の動作を司るべくデータバスを介して各部に接続されており、例えば、ディスクドライブ部１９及びハードディスクドライブ部１８に記録データを供給することができ、又、再生された信号を受け取ることができる。制御部３０は、記録、又は、再生単位のデータを取り扱うもので、バッファ回路、エラー訂正部等を含む。
【００１４】
又、図１の記録再生装置１０は、録画側を構成するエンコーダ部２１と、再生側を構成するデコーダ部２２と、装置本体の動作を制御する制御部３０とを主たる構成要素としている。記録再生装置１０は、入力側のセレクタ１６と出力側のセレクタ１７とを有しており、入力側のセレクタ１６には、ネットワークＩ／Ｆ部１１と、チューナ部１２と、入力部１３とが接続され、エンコーダ部２１、又は、メモリ部４１に信号を出力する。又、記録再生装置１０は、エンコーダ部２１に接続されるフォーマッタ部２３と、エンコーダ部２１の出力を受け、データ編集等の所望のデータ処理を行うデータ編集部２０、データ編集部２０に接続されるハードディスクドライバ部１８、光ディスクドライバ部１９を有している。更に、記録再生装置１０は、ハードディスクドライバ部１８、光ディスクドライバ部１９からの信号を受けてデコードするデコーダ部２２と、エンコーダ部２１、デコーダ部２２、制御部３０、表示部３３からの操作信号を受けるビデオミキシング部２４とを有している。これらの各部は、データバスを介して制御部３０に接続されている。更に、セレクタ部１７の出力は、外部のスピーカ部２５と、ディスプレイ部２６とに接続されるか、外部装置との通信を行うインタフェース部２７を介して、外部装置に供給される。
【００１５】
更に、記録再生装置１０は、データバスを介して制御部３０に接続され、ユーザの操作やリモコンＲの操作を受ける操作部３２を有している。ここで、リモコンは、記録再生装置１０の本体に設けられる操作部３２とほぼ同等の操作を可能とするものであり、ハードディスクドライバ部１８やディスクドライバ部１９の記録再生指示や、編集指示、又、チューナの操作、予約録画の設定等、各種設定が可能である。又、更に、記録再生装置１０は、データバスを介して制御部３０に接続される、セレクタ部１６等からの画像信号等の出力や映像情報等を格納するデータベース部４１と、ネットワーク上の資源を活用するべく管理する資源管理部４２と、ＨＤＤ１８やデータベース部４１等に格納されたコンテンツである映像情報等に応じたライブラリ情報を生成し管理するライブラリ管理部４３と、予約情報を管理し予約録画を実行する録画予約管理部４４とを有している。
【００１６】
資源管理部４２は、装置内の資源（チューナ・ＮＴＳＣデコーダ・ｍｐｅｇエンコーダ・メディア（ＨＤＤ）・ｍｐｅｇデコーダ、ネットワーク制御部など）の種類や数、又、それらが使用されているか、空いているか動作モードによってどの資源が使用されるか（例えばＴＶ放送録画のためにチューナ・ＮＴＳＣデコーダ・ｍｐｅｇエンコーダ・ＨＤＤのあるの帯域が必要になるという情報等）などを管理するモジュールであり、後述する資源管理処理を司るものである。
【００１７】
（基本動作）
このような構成の記録再生装置において、初めに、光ディスクに例を取って、再生処理と記録処理の概要を説明する。光ディスクの再生処理は、以下のように行われる。すなわち、制御部３０の制御下において、ディスクモータドライバ６４で制御されるディスクモータ６３により所定速度に回転される光ディスクＤは、レーザドライバ６５で駆動されるレーザ光が照射されその反射光が光ピックアップ５１のフォトデテクタ５２により検出され、これに基づく検出信号Ｓが出力される。この検出信号Ｓがデータ編集部２０に含まれるＲＦアンプに供給され、ここから出力されたＲＦ信号がデコーダ部２２及び制御部３０に、又、データ編集部２０に含まれるＲＦアンプで生成されたサーボ用信号であるフォーカスエラー信号とトラッキングエラー信号とが、それぞれ、フォーカス制御部・トラッキング制御部６２に供給される。データ編集部２０ではＲＦ信号をデコードし、デコードされた信号がビデオミキシング部２４で合成されるか、そのままインタフェース部２７を介して外部に出力される。又、制御部３０は、ディスクモータ６３の回転をコントロールするコントロール信号を生成しディスクモータドライバ６４に供給して、ディスクモータ６３の回転を制御している。
【００１８】
更に、このような構成の記録再生装置において、光ディスクの記録処理は、以下のように行われる。すなわち、制御部３０の制御下において、例えば入力部１３、セレクタ部１６を介して供給されたデータは一時的にメモリ部４１に蓄えられた後にエンコーダ部２１に供給され、コード化されて出力される。このコード化出力と制御部３０の出力に応じて、レーザドライバ６５の駆動電流が光ピックアップ５１に供給される。光ピックアップ５１ではこの駆動電流に応じたレーザ光を搭載されたレーザダイオード５４から発光し、ディスクモータ６３により所定回転数で回転されている光ディスクＤの記憶領域に照射することで、記録処理が行われるものである。
【００１９】
（詳細な動作）
・記録処理等
次に、このような構成を有する記録再生装置１０の動作を、更に詳細に説明する。初めに、主に記録時の動作について、他の実施形態も含めて詳細に説明する。記録再生装置１０の入力側として、ネットワークＩ／Ｆ部１１は、例えば、インターネット等を介してサーバＳ等に接続しコンテンツ情報等をダウンロードしたり、又、無線ＬＡＮやイーサネット、ＩＥＥＥ１３９４等の有線ＬＡＮ等で接続されて、図２に示すように、例えば、デジタルテレビ５１、ハードディスクレコーダ（２）５２、光ディスクレコーダ５３、プレーヤ５４、ＶＴＲ（Video Tape Recorder）５５等のデジタル機器等に接続されている。
【００２０】
又、チューナ部１２は、アンテナを介して放送信号を選局し復調して映像信号及び音声信号を出力するもので、広範な種類に対応するもので、例えば、地上波アナログ放送、地上波デジタル放送、ＢＳアナログ放送、ＢＳデジタル放送、ＣＳデジタル放送等に及ぶものであり、これに限るものではない。又、必ずしも一つだけを設けるものではなく、例えば、地上波アナログ放送のチューナ部を２つ又は３つ以上を有し、予約録画の要求に応じて平行して機能させるものであることも好適である。
【００２１】
又、入力部１３は、外部から、輝度信号や色差信号、コンポジット等の映像信号、音声信号を受ける。これらは、制御部３０等で制御されるセレクタ１６により、入力が制御されて、エンコーダ部２１に選択的に供給される。すなわち、エンコーダ部２１には、入力部１３からの外部アナログビデオ信号や外部アナログオーディオ信号、又は、ＴＶチューナ１２からのアナログビデオ信号とアナログオーディオ信号が、セレクタ１６を介して入力される。
【００２２】
エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、バッファメモリを含むフォーマッタ部２３にて所定のＤＶＤ−ＲＡＭのフォーマットに変換され、先の制御部３０に供給される。
【００２３】
なお、エンコーダ部２１は、直接圧縮されたデジタルビデオ信号やデジタルオーディオ信号が直接入力されるときは、圧縮デジタルビデオ信号やデジタルオーディオ信号を直接フォーマッタ部２３に供給することもできる。又、エンコーダ部２１は、アナログデジタル変換されたデジタルビデオ信号やオーディオ信号を、ビデオミキシング部２４やセレクタ部１７に直接供給することもできる。
【００２４】
エンコーダ部２１に含まれるビデオエンコーダでは、デジタルビデオ信号はＭＰＥＧ２、又は、ＭＰＥＧ１規格に基づいた可変ビットレートで圧縮されたデジタルビデオ信号に変換される。デジタルオーディオ信号は、ＭＰＥＧ、又は、ＡＣ−３規格に基づいて固定ビットレートで圧縮されたデジタルオーディオ信号、又は、リニアＰＣＭのデジタルオーディオ信号に変換される。
【００２５】
副映像信号が入力部１３から入力された場合、又はこのようなデータ構成のＤＶＤビデオ信号が放送されてそれがＴＶチューナ１２で受信された場合は、ＤＶＤビデオ信号中の副映像信号が副映像エンコーダでエンコード（ランレングス符号化）されて副映像のビットマップとなる。
【００２６】
エンコードされたデジタルビデオ信号、デジタルオーディオ信号、副映像データは、フォーマッタ部２３にてパック化され、ビデオパック、オーディオパック、副映像パックとなり、更にこれらが集合されてＤＶＤ−レコーディング規格（例えば、ＤＶＤ−ＲＡＭ、ＤＶＤ−Ｒ、ＤＶＤ−ＲＷなどに記録する規格）で規定されたフォーマットに変換される。
【００２７】
ここで図１の装置は、フォーマッタ部２３でフォーマット化された情報（ビデオ、オーディオ、副映像データなどのパック）及び作成された管理情報を、制御部３０を介してハードディスクドライブ部１８又はディスクドライブ部１９に供給し、ハードディスク部１８、又は、光ディスクＤに記録することができる。又、ハードディスク部１８、又は、光ディスクＤに記録された情報を、制御部３０、ディスクドライブ部１９を介して光ディスクＤ、又は、ハードディスク部１８に記録することもできる。
【００２８】
又、上述した録画予約管理部４４及びライブラリ管理部４３によれば、リモコンＲや操作部３２から入力された予約情報、又、チューナ部１２やネットワークＩ／Ｆ部１１を介して取得したＥＰＧ（Electronic Program Guide）情報に基づいて、予約録画を行い、又、予約録画等から蓄積された録画情報に応じたライブラリ情報がライブラリ管理部４３で生成され管理される。
【００２９】
又、ハードディスク部１８又は光ディスクＤに記録されている複数番組のビデオオブジェクトを、一部削除したり、異なる番組のオブジェクトをつなげたり、といった編集処理を行うこともできる。
【００３０】
・再生処理等  
次に、主に記録された情報の再生処理について、他の実施形態も含めて詳細に説明する。デコーダ部２２は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。又、デコードされた主映像にデコードされた副映像を適宜合成し、主映像にメニュー、ハイライトボタン、字幕やその他の副映像を重ねて出力するビデオプロセッサを備えている。
【００３１】
デコーダ部２２の出力ビデオ信号は、ビデオミキシング部２４に入力される。ビデオミキシング部２４では、テキストデータの合成が行われる。又、ビデオミキシング部２４には、ＴＶチューナ１２や入力部１３からの信号を直接取り込むラインも接続されている。ビデオミキシング部２４には、バッファとして用いる図示しないフレームメモリが接続されている。ビデオミキシング部２４の出力が、セレクタ部１７に供給され、セレクタ部１７により選択されれば、ディスプレイ２６に供給されて表示されるか、Ｉ／Ｆ（インタフェース）部２７を介して外部装置に供給される。
【００３２】
デコーダ部２２の出力オーディオ信号は、セレクタ部１７を介して図示しないデジタルアナログ変換器でアナログ変換されてスピーカ２５に供給されるか、Ｉ／Ｆ部２７を介して外部装置に供給される。セレクタ部１７は、制御部３０からのセレクト信号により制御される。これによりセレクタ部１７は、ＴＶチューナ１２や入力部１３からのデジタル信号を直接モニタする時、エンコーダ部２１をスルーした信号を直接選択することも可能である。
【００３３】
なお、エンコーダ部２１のフォーマッタ部２３では、録画中、各切り分け情報を作成し、定期的に制御部３０のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などである。
【００３４】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報に基づいて初期設定が行われる。
【００３５】
制御部３０は、エンコーダ部２１のフォーマッタ部２３からＶＯＢＵ単位のデータを受け取り、ディスクドライブ部１９又はハードディスクドライブ部１８に供給している。又、制御部３０のＭＰＵは、記録したデータを再生するのに必要な管理情報を作成し、データ記録終了のコマンドを認識すると、作成した管理情報を制御部３０に送る。これにより、管理情報がディスクに記録される。従って、エンコードが行われているとき、制御部３０のＭＰＵは、エンコーダ部２１からデータ単位の情報（切り分け情報など）を受け取る。又、制御部３０のＭＰＵは、記録開始時には、光ディスクＤ及びハードディスク部１８から読み取った管理情報（ファイルシステム）を認識し、各ディスクの未記録エリアを認識し、データ上の記録エリアを制御部３０を介して光ディスクＤに設定している。
【００３６】
又、更に、制御部３０は、後述するように、例えば、インターネット上に設けられたコンテンツ情報のサーバＳにネットワークＩ／Ｆ部１１を介してアクセスをし、コンテンツ情報をダウンロードして、ハードディスクドライブ部１８の記憶領域に記録することができる。又、ハードディスクドライブ部１８の記憶領域に記録されたコンテンツ情報は、ユーザの操作に応じて、ハードディスクドライブ部１８から読み出されてデコーダ部２２でデコードされた上で、ビデオミキシング部２４を介して、セレクタ部１７で適宜選択され、スピーカ部２５及びディスプレイ２６又はＩ／Ｆ２７を介して外部装置に供給される。
【００３７】
この実施形態の記録再生装置１０は、このように総合的な機能を有するものであり、多くのソースに対してハードディスク部１８（又は光ディスクＤ）による記録・再生処理を行うものである。次に、ここで、この記録再生装置１０の、主に資源管理部４２によるネットワーク上の資源の活用方法について、以下に詳細に説明する。
【００３８】
＜本発明の一実施形態に係る資源管理方法＞
次に、上述した記録再生装置における資源管理方法の一例を図面を用いて詳細に説明する。図３は、本発明の一実施形態に係る記録再生装置において、資源代用処理を行わない場合の例を示す説明図、図４は、同じく、資源代用処理により他の機器のチューナ資源を代用して録画を行う場合の例を示す説明図、図５は、同じく資源代用処理を試みたが他の機器のチューナ資源を代用できない場合の例を示す説明図、図６は、同じく、資源代用処理により他の機器のチューナ資源を代用して視聴を行う場合の例を示す説明図、図７は、同じく、資源代用処理（予約時）の一例を示すフローチャート、図８は、同じく、資源代用処理（録画時）の一例を示すフローチャートである。
【００３９】
（資源代用を行わない場合）
初めに、図３を用いて、記録再生装置において、資源代用を行わない場合を説明する。図３の（ａ）において、ユーザがチューナ部１２を用いてテレビ番組を視聴している場合を考える。ここでは、チューナ１２、エンコーダ２１、デコーダ部２２等が用いられて、映像信号に応じた映像音声がＴＶ２６により再生されて、ユーザはテレビ番組を視聴している。
【００４０】
その後、図３の（ｂ）において、録画予約管理部４４等の管理に応じて予約録画が開始するとチューナ部１２においてチャンネルが変更され、予約情報に応じた録画処理が始まるため、今までユーザが視聴していた放送は中断されることなり、ユーザのテレビ番組の視聴は中断される。
【００４１】
（録画予約に応じた資源代用処理）
次に、図７を用いて、録画予約に応じた資源代用処理を詳細に説明する。録画予約管理部４４の予約機能により、録画予約が例えば、１分以内に迫っている場合（Ｓ１１）、図４の説明図に示すように、ユーザが先に記録再生装置１０で所望のテレビ番組を選局し視聴している場合に、信号ラインＬ３により、復調信号に応じた映像信号はテレビ２６に供給されている場合は、視聴指示等を受けることにより、資源不足になっていることとなる（Ｓ１２）。ここで、記録再生装置がダブルチューナ等を有する場合は、自身の他の機能（チューナ等）を代用するべく検出することも好適である。自身にそのような機能がない場合は、従来技術であれば、予約が迫っているので自動的にチャンネルが変わります等の表示をした上で、又、何も表示することなく、チューナの選局は切り替り、視聴が中断される。
【００４２】
しかし、ここでは、資源管理部４２の働きにより、ネットワーク上の機器５１乃至５５等に働きかけることにより、資源情報を収集する（Ｓ１３）。すなわち、ネットワーク上の機器５２の資源は必ずしも代用できるものではなく、例えば図５に示すように、録画処理中であれば、この資源（チューナ部やエンコーダ部）を代用することはできない。
【００４３】
ここで、資源情報とは、各機器において、どのようなチューナ機能や記録機能、変換機能等を有しており、これらの機能の性能、又、使用状況、又、予約状況、又、現在保有している録画予約情報等をいう。すなわち、資源情報は、装置が保有する資源の品質（チューナの性能）、外部装置との間のネットワークの帯域（１００Ｍｂｐｓ、１０Ｍｂｐｓ等の接続速度等）、提供可能時間（何時間後に予約録画があるので提供できなくなる等）、記録メディアの空き容量、エンコーダの性能の情報をも含むことが好適である。
【００４４】
資源管理部４２は、これらの資源情報を収集して、ネットワーク上のどれかの資源を利用することが可能かどうかを判断する（Ｓ１４）。資源の代用は不可能であると判断すれば、視聴できない旨、又はもうすぐ予約録画が始まり、視聴が不可能となることを表示する（Ｓ１９）。
【００４５】
又、ネットワーク上の複数の機器から、資源が利用可能であるとの返答を受けたときは、所望の優先順位に応じて一つのネットワーク上の機器を選択し、その機器上の資源を利用して視聴等を続行するものである（Ｓ１５）。
【００４６】
ここで、複数の機器から一つの機器の資源を決定する優先順位の基準としては、様々なものが考えられ、例えば、予めユーザにより与えられた優先順位に応じて一つの機器を選択することが好適である。これはすなわち、ユーザがネットワーク上の各機器について、予め優先度を与えておきこれを記憶しておくものであり、任意の機器を優先して資源の活用を図ることができる。
【００４７】
更に、複数の資源について、例えばチューナなら録画予約等について各予約状況を考慮し、予約されていないものを優先する、又、全ての資源（チューナ等）が予約されていれば、予約が最も先の資源を選択する等の処理が好適である。これにより、視聴しているうちに予約時間となり、再び、資源の調整が必要となる等の煩雑な処理を回避することができる。
【００４８】
又、更に、複数の資源について、その装置が当該記録再生装置と有線ネットワークで接続されているか無線ネットワークで接続されているかを考慮して、有線ネットワークによる機器の資源を優先的に選択する。これは、一般に無線ネットワークよりも有線ネットワークのほうが通信状態が安定してることに基づく選択である。
【００４９】
又、更に、複数の資源について、各資源の機能性の高さを考慮し、できるだけ機能性の高いものを優先的に選択することが好適である。これは、なるべく動作が安定して高い機能をもつ資源による良質な信号を利用するべく選択するものである。又、上述した選択基準を例えば点数化する等して複合的に評価し、これにより最適の資源を選択することも好適である。
【００５０】
このように選択した資源を利用して、例えば、ユーザの視聴を続行したまま、既にある予約録画情報に基づく予約録画処理をも実行するものである。なお、ここで、代用される資源は、例えば、図１に示すチューナ部１２や、エンコーダ部２１、デコーダ部２２、又、更に、これらに限らず、ハードディスクドライバ部１８、光ディスクドライブ１９、データ編集部２０の編集機能等であってもよい。又、例えば、エンコーダ部２１に含まれるフォーマッタ部２３でもよく、又、エンコーダ部２１内に含まれる、コンテンツデータの第１のデータ形式（ＭＰＥＧ２等）をこれとは異なる第２のデータ形式（ＭＰＥＧ４等）に変換する変換機能であることも好適である。
【００５１】
このようにネットワーク上の最適な資源を活用して、例えば、録画処理と、視聴処理との両方の処理を平行して行っている際に、例えば、代用しているネットワーク上のレコーダのチューナ部１２が予約録画が近づいた等により使用不能となれば、資源管理部４２は、再び資源不足であるとの信号をネットワークＩ／Ｆ部１１を介して受けることとなる（Ｓ１６）。
【００５２】
このように資源の代用処理の途中で、再び資源が不足となると、先の資源情報の収集のステップＳ１３に戻って、再び、資源の検索が行われる（Ｓ１３）。以降の処理は、上述した通りの処理が繰り返される。
【００５３】
このような視聴又は録画処理等の処理が終了指示があるまで、続行され（Ｓ１７）、最後に処理が終了する旨を表示する等して、処理が終了するものである（Ｓ１８）。
【００５４】
このようにして、本発明の一実施形態に係る記録再生装置においては、資源管理部４２の働きによりネットワーク上の各機器の資源が余すところなく活用され、又、途中で活用できなくなれば、これが他の資源に自動的に置き換えられるものである。これらの判断・検索・代用等の処理は、ユーザの捜査を待つことなく、資源管理部４２や制御部３０内の記憶領域に格納されたプログラム等により特定されて処理されるものである。
【００５５】
又、ここで、資源管理部４２は、上述したような自分の記録再生装置内の資源の不足を検出して、他の機器に代行させる機能だけではなく、他のネットワークの記録再生装置から自身の資源情報を求められると、自身の資源情報を収集して要望された記録再生装置へと送信し、更に、資源の代用を要望されると、これに応じて、例えば、チューナであれば、要望された例えば８チャンネル等の選局の末、復調した映像音声信号をネットワークを介して供給する、資源提供機能をもあわせてもっているものである。
【００５６】
これにより、本発明の一実施形態に係る記録再生装置においては、特別なユーザの操作を待たずに、ネットワークの資源を自動的に最大限に活用して、記録処理、再生処理、視聴処理等を行うことが可能となる。
【００５７】
（録画中に応じた資源代用処理）
次に、例えば図６に示すように、現在録画中の記録再生装置等において視聴指示を受けた場合の処理について、以下に図８のフローチャート等を用いて、詳細に説明する。
【００５８】
すなわち、図８のフローチャートにおいて、その記録再生装置が、現在、録画中であるかどうかを判断する（Ｓ２１）。この録画は、予約録画に基づくものでも良いし、マニュアルによる録画処理が継続している状況であってもよく、図６に示すように録画処理が続行されている。
【００５９】
このような録画状態において（Ｓ２１）、例えば、ユーザの操作により、チューナ部１２を用いた視聴の要求があることで、資源不足になるかどうかを判断する（Ｓ２２）。資源不足であると判断されると資源管理部４２の働きにより、ネットワーク上の機器５１乃至５５等に働きかけることにより、資源情報を収集する（Ｓ２３）。次に、資源管理部４２は、これらの資源情報を収集して、ネットワーク上のどれかの資源を利用することが可能かどうかを判断する（Ｓ２４）。資源の代用は不可能であると判断すれば、視聴できない旨、又はもうすぐ予約録画が始まり、視聴が不可能となることを表示する（Ｓ２９）。
【００６０】
又、ネットワーク上の複数の機器から、資源が利用可能であるとの返答を受けたときは、上述したような優先順位に応じて一つのネットワーク上の機器を選択し、その機器上の資源を利用して視聴等を続行する（Ｓ２５）。
【００６１】
又、このようにネットワーク上の最適な資源を活用して、録画処理と視聴処理との両方の処理を平行して行っている際に、例えば、代用しているネットワーク上のレコーダのチューナ部１２が予約録画が近づいた等により使用不能となると、資源管理部４２は、再び資源不足であるとの信号をネットワークＩ／Ｆ部１１を介して取得する（Ｓ２６）。
【００６２】
このように資源の代用処理の途中で、再び資源が不足となると、先の資源情報の収集のステップＳ２３に戻って、再び、資源の検索が行われる（Ｓ２３）。以降の処理は、上述した通りの処理が繰り返される。
【００６３】
このような視聴又は録画処理等の処理が終了指示があるまで、続行され（Ｓ２７）、最後に処理が終了する旨を表示する等して、処理が終了するものである（Ｓ２８）。
【００６４】
このように、本発明の一実施形態に係る記録再生装置においては、録画処理中にユーザから視聴指示があった場合も同様に、資源管理部４２の働きによりネットワーク上の各機器の資源が余すところなく活用され、又、途中で活用できなくなれば、これが他の資源に自動的に置き換えられるものである。
【００６５】
以上記載した実施形態においては、資源の代用を、主にチューナ機能の代用を中心に説明したが、代用される資源はチューナ機能に限るものではなく、例えば、録画機能、データ変換機能等、記録再生装置の各機能を対象とするものである。又、自身の記録再生装置に存在する機能のみを他のネットワーク上の機器の資源に代用させるだけではなく、自身の記録再生装置がもっていない機能を、他の機器の資源により代用させることも好適である。
【００６６】
すなわち、上述した資源代行処理を行うことにより、自機のチューナが対応していない放送形式も、同類他機に依頼することで視聴（録画）できる。又、自機が対応していない形式の入力（ＤＶ、ＩＥＥＥ１３９４、Ｓ入力・ＣＶＢＳ入力、チューナ、ＨＤ）も視聴（録画）することができる。又、映像入力機構やエンコーダを持たないメディア（ＨＤＤ等、ライタブルメディア）再生専用機でも録画可能になる。又、映像入力機構やエンコーダを持たない、メディア（ＨＤＤなどライタブルメディア）再生専用機が、自メディア内のデータを、他機の資源を利用して、トランスコーディングなどのデータ変換を行うことができる。又、放送スケジュール変更などで、録画予定時間が重複した場合も同様に対応することができる。
【００６７】
又、以上記載した実施形態においては、光ディスクのディスクドライバ部等を含む複合機としての記録再生装置において、本発明の一実施形態を説明したが、これに限らず、例えば、ハードディスクドライバ部だけを扱う記録再生装置においても、同等の処理が可能であることは言うまでもない。
【図面の簡単な説明】
【００６８】
【図１】本発明の一実施形態に係る記録再生装置の構成の一例を示すブロック図。
【図２】本発明の一実施形態に係る記録再生装置がネットワークを介して周辺装置に接続されている状態を示す説明図。
【図３】本発明の一実施形態に係る記録再生装置において、資源代用処理を行わない場合の例を示す説明図。
【図４】本発明の一実施形態に係る記録再生装置において、資源代用処理により他の機器のチューナ資源を代用して録画を行う場合の例を示す説明図。
【図５】本発明の一実施形態に係る記録再生装置において、資源代用処理を試みたが他の機器のチューナ資源を代用できない場合の例を示す説明図。
【図６】本発明の一実施形態に係る記録再生装置において、資源代用処理により他の機器のチューナ資源を代用して視聴を行う場合の例を示す説明図。
【図７】本発明の一実施形態に係る記録再生装置の資源代用処理（予約時）の一例を示すフローチャート。
【図８】本発明の一実施形態に係る記録再生装置の資源代用処理（録画時）の一例を示すフローチャート。
【符号の説明】
【００６９】
１１…ネットワークＩ／Ｆ部、１２…チューナ部、１３…入力部、１８…ハードディスクドライバ部、１９…ディスクドライブ部、２０…データ編集部、２１…エンコーダ部、２２…デコーダ部、２３…フォーマッタ部、２４…ビデオミキシング部、２６…ディスプレイ、２７…Ｉ／Ｆ部、３０…制御部、３１…表示部、３２…操作部、Ｒ…リモコン、４１…データベース部、４２…資源管理部、４３…ライブラリ管理部、４４…録画予約管理部。
【図１】
2006014050.tif 000003
【図２】
2006014050.tif 000004
【図３】
2006014050.tif 000005
【図４】
2006014050.tif 000006
【図５】
2006014050.tif 000007
【図６】
2006014050.tif 000008
【図７】
2006014050.tif 000009
【図８】
2006014050.tif 000010